Podtech/llm-jp-corpus-v4-ja_patent huggingface dataset:
(57)【要約】【課題】本発明は、通常生活はもとより災害時に対しても、小区画したため小物類の出し入れを容易にすると共に、収納の利便性を特徴とした小物入れ付袋物の取手及び背負いベルトは、貴重品・化粧品・鋏爪切りなど生活小物が、整理整頓状態で利用者の満足度が図れる。【選択図】図１
2012239864.tif 000002
【特許請求の範囲】
【請求項１】
小物入れ付袋物の取手及び背負いベルト
【発明の詳細な説明】
【技術分野】
【０００１】本発明は、人が移動する時、持つ物は大小に関わらず物を収納する袋である。その袋の、取手及び背負いベルトの中の空間を仕切り、小区画化し小物類を入れる。背負いベルトの横面にファスナーを付け開閉することによる、小物類の出し入れ収納の利便性を特徴とする。
【背景技術】
【０００２】何でも入る袋物は非常に便利であるが、小さい物は大きい物のあいだや、他の小物と混同した場合は、意外と気が付かず、何回も同じ所を探すことが多々あります。通常なら気にならぬが、非常時に於いては、見つけた後非常に腹が立ちます。この様なことが無い様に、邪魔にならず、多くの生活必需小物を、即必要な物を取出せると共に、コンパクトで多角的に使用できる。
近年、リュックザックのサイドポケットを利用した、取り外しの出来る保温機能や防水機能を備え、ペットボトルや折りたたみ傘等を入れられる方法が提案され開示されている。
【先行技術文献】
【特許文献】
【０００３】
【特許文献１】実登３０９２４１５号
【発明の概要】
本発明は、通常の使用時はもとより、地震津波洪水等天変地異に遭遇した場合により使用目的を明確に発揮する。防災ザック、ショルダーバック等非常持ち出し等に取り付け、危険回避、身体防護、化粧品、常備薬等種々に関する最小限の生命維持必需品を、遅滞なく整理収納し個別に出し入れが出来る、小区画の連続した物入れを具備したベルトである。（例：リュックザック・ゴルフバック・ショルダーバックの背負いベルト等）
【発明が解決しようとする課題】
【０００４】上記従来の方法では、ファッション的にはすっきりと美しく肩にフットし、リュックザック等はお尻にぶら下がっている。本来の袋物の用途から一脱しているとしか考えられない。又収納に関し、飲食物衣類とは違い、小物類は忘れられがちであるが、用意されたとしても子袋の中に纏めて入れられ、袋のどこに入ったかもわからず、必要に応じ出されても、どこに必要なものがあるか分からず、袋をひっくり返して探す。以外にスペースを取ると共に取り出し、使いにくさの欠点が挙げられるのが現状である。
【課題を解決するための手段】
【０００５】本発明は、上記従来の課題を解決するもので、簡単な構成で肩掛けベルト本体の骨格を、ねじれを防止のため、取り付け部の幅を広くする。そこでベルト上部構成体に、横面にファスナーを付け開閉でき、ベルトの中の空間を仕切り、小区画したため小物類の出し入れを容易にした、収納の利便性を特徴とする。
【発明の効果】
【０００６】本発明の  小物入れ付袋物の取手及び背負いベルトは、上記構成を備えたことにより、災害時の持ち出しの袋類及び通常使用バッグ等袋物にも、貴重品・化粧品生活小物が、整理整頓状態で利用者の満足度が図れる。
【図面の簡単な説明】
【０００７】
【図１】ベルト全体形状
【図２】ベルト連続小区画小物入れ詳細
【発明を実施するための形態】
【０００８】上記課題を解決するために本発明の、図１の背負いベルト取り付け部（１）は、袋物本体に緊結し、図２は背負いベルトの横側に開閉部とするフアスナー（２）を取り付ける。又フアスナーの破損時に備え内側に面フアスナー（３）を縫い取り危険防止とする。ベルトには背当て布（６）クッション材（７）芯板（８）裏布（９）表布（１０）５層造で裏布表布間に仕切り板（４）で小部屋を設け小区画ごとにフック掛け穴（５）を設け、小部屋に入れる小物雑貨の品ごとに、紐にフックを付け緊結する事により消失を防ぐことが出来る。以上防災ザックは一つの構成体として、多角的全方位的に利用者及び被災者に対し、安心安全性を確保できる。
【産業上の利用可能性】
【０００９】本発明の、連続小区画小物入れ付背負いベルトは、利用者の生活環境や使用意識に対応した生活小物類を収納出来る。又災害等に遭遇した場合に、より使用目的を明確に発揮する。防災ザック、ショルダーバック等非常持ち出し等に取り付け、危険回避、身体防護・小型機器、火器・予備乾電池・常備医薬品等種々に関する最小限の生命維持必需品を、遅滞なく整理収納し個別に出し入れが出来、精神的に安心感が意識でき物理的精神衛生上社会的に有用である。
【符号の説明】
【００１０】１・背負いベルト取り付け部
２・開閉部とするフアスナー
３・面ファスナー
４・仕切り板
５・フック掛け穴
６・背当て布
７・クッション材
８・芯板
９．裏布
１０・表布
【図１】
2012239864.tif 000003
【図２】
2012239864.tif 000004
(57)【要約】【課題】ジェルネイルを自宅でオフしようとすると、爪の形や大きさにコットンやティッシュペーパーを切ることが面倒でジェルネイル専用除光液を付着させたコットンを爪に置き、アルミホイルで指先をラップしても、アルミホイルに指を固定させる機能がないため、そのラップした手でもう一方の手の指先をラップしようとすると、元のラップした方が外れやすかった。  本発明は、ジェルネイルをオフするための作業を速やかに進行させるジェルネイルオフ具を提供する。【解決手段】適宜な大きさを有するシート本体を設け、シート本体の中央下部にコットン等を用いた除光液浸潤部材を設け、除光液浸潤部材のすぐ下の位置に折り返し部を設け、折り返し部の裏側末端辺中央部に粘着剤を設けたことを特徴としたジェルネイルオフ具。【選択図】図２
2012239869.tif 000002
【特許請求の範囲】
【請求項１】
適宜な大きさを有するシート本体を設け、シート本体の中央下部にコットン等を用いた除光液浸潤部材を設け、除光液浸潤部材のすぐ下の位置に折り返し部を設け、折り返し部の裏側末端辺中央部に粘着剤を設けたことを特徴としたジェルネイルオフ具。
【発明の詳細な説明】
【技術分野】
【０００１】    本発明は、ジェルネイルオフ具に関するものである。
【背景技術】
【０００２】  従来、ジェルネイルをオフするためには、主にコットンやティッシュペーパーを爪のサイズに切り、それにジェルネイル専用除光液（アセトン）を付着させ、それを爪の上にのせ、アルミホイルで指先を巻く方法が知られている（特許文献１、２参照）。
【先行技術文献】
【０００３】
【特許文献１】特開２０１１−３６４５７号公報
【特許文献２】特開２００９−２８５４４２号公報
【発明の概要】
【発明が解決しようとする課題】
【０００４】  ジェルネイルを自宅でオフしようとすると、爪の形や大きさにコットンやティッシュペーパーを切ることが面倒でジェルネイル専用除光液を付着させたコットンを爪に置き、アルミホイルで指先をラップしても、アルミホイルに指を固定させる機能がないため、そのラップした手でもう一方の手の指先をラップしようとすると、元のラップした方が外れやすかった。
本発明は、以上の問題点を解決するためになされたものである。
【課題を解決するための手段】
【０００５】  適宜な大きさを有するシート本体を設け、シート本体の中央下部にコットン等を用いた除光液浸潤部材を設け、除光液浸潤部材のすぐ下の位置に折り返し部を設け、折り返し部の裏側末端辺中央部に粘着剤を設ける。
以上の構成よりなるジェルネイルオフ具である。
【発明の効果】
【０００６】  従来、ジェルネイルオフ時にしていたコットンのカット作業、コットンに除光液を含ませる作業、コットンを爪にのせた指先全体をラップする作業を指から指へ移していく際に、ラップが固定せずに不安定のために作業がスムーズにいかない不便さが解消でき、一方の手のオフ作業が済んだら即、他方の手の作業に入ることができる両手で同時にオフできることによって時間の短縮が可能になる。
【図面の簡単な説明】
【０００７】
【図１】本発明の平面図
【図２】本発明の折り返し部を折り返して粘着剤が見える状態を示す平面図
【図３】本発明の上に指先、爪を下にしておいた状態を示す平面図
【図４】本発明の使用状態を示す平面図
【発明を実施するための形態】
【０００８】    以下、本発明の実施形態を説明する。
（イ）適宜な大きさを有するシート本体（１）を設け、シート本体の中央下部に除光液浸潤部材（２）を設ける。
（ロ）折り返し部（３）を除光液浸潤部材（２）側に折り返し、折り返し部分を折り返した状態で現れる粘着剤（４）を設ける。
本発明は以上のような構造である。
本発明を使用するときは、折り返し部（３）を皮膚に触れないようにコットン等の除光液浸潤部材（２）側に爪の長さに合わせて折り返し、折り返し部を折り返した状態で現れる粘着剤（４）で爪の根元を固定し、次にジェルネイル専用除光液を含ませた除光液浸潤部材をジェルネイルの付着した爪に密着させ、除光液浸潤部材（２）の周囲部分で指先全体包み込む。
【符号の説明】
【０００９】    １、シート本体  ２、除光液浸潤部材  ３  折り返し部、４  粘着剤
【図１】
2012239869.tif 000003
【図２】
2012239869.tif 000004
【図３】
2012239869.tif 000005
【図４】
2012239869.tif 000006
(57)【要約】【課題】異臭問題の解決【解決手段】甲殻類の製品開発過程において異臭発生処理が従前から難問題となり、製品化の妨げになっていた問題点を、この発明により製品か従前に比べ広い範囲に応用できる。消臭後の製品であれば屋内持込作業においても従前に比べ異臭に悩まされる事無く次元の製品開発行為もスムーズに行う事を可能ならしめるのである。【特許請求の範囲】
【請求項１】
月桃水と柑橘（シークワーサー）搾り残滓を用いて無臭化。
【発明の詳細な説明】
【発明の詳細な説明】
【０００１】楊陸した甲殻類は時間経過と共に腐敗が始まり異臭を発生する。その腐敗異臭を月桃水と柑橘（シークワーサー）搾り残滓の乾燥微粉を混入して攪拌乾燥消去するものである。
【技術分野】
【０００２】広範囲で甲殻類の持つ特性を活かした用途考案がなされる中で、異臭が原因で用途範囲が限定されている。
【発明が解決しようとする課題】
【０００３】腐敗異臭が起因となって引き起こされる蠅が寄り、ウジ虫発生の防止を計り、主に使用目的が屋外であった範囲を屋内へと拡大するものである。又、混入原料が持つ化学的成分（微量のテルペンやグリセロイドサポニン）の反応が有効に作用し主原料の脱臭を速やかにする。
【問題を解決するための手段】
【０００４】捕獲し揚陸した甲殻類を自然天日で数日間乾燥させ水分蒸散（含水率１５％）を行い、其の後、粉砕選別機で粉砕選別を行い、これに月桃抽出液（主原料の１０％）と柑橘シークワーサー搾り残滓乾燥微粉（主原料の５％）を混入させ、混合乾燥機で練り合わせると同時に乾燥も同時に行い脱臭作業をより迅速化ならしめる。乾燥率９３％まで乾燥した製品の臭いは異臭が消え、好気に変化さす事が出来るものである。
【発明の効果】
【０００５】甲殻類の中でも特にオニヒトデの揚陸した以後の処理に、この発明を活かすことにより元来廃棄物として処理されていた物の再資源化が促進されるのである。
【発明を実施するための最良の形態】
【０００６】この発明は少人数で大量処理が可能である。世界の海洋国で実施使用出来る。
(57)【要約】【課題】  空気圧を利用して、天井板からの反発力で家具を床に圧着して、地震などによる家具の倒壊をを防ぐ、家具転倒防止装置を提供する。【解決手段】  伸縮性と柔軟性の空気袋をマット状にして、複数段積層した、積層空気袋１と家具８と天井板７との隙間に設置して、電動空気入れ２で空気を充填して、家具の転倒を防止できるようにする。【選択図】図２
2012239868.tif 000002
【特許請求の範囲】
【請求項１】
空気袋を積層することで、各層の横方向への変形量を小さく抑えて、かつ各層の間仕切りが、さらに、空気袋全体の変形を抑えてくれる。
【請求項２】
圧力感応スイッチにより、空気量が自動的に一定に保たれるので、メンテナンスフリーにできる。
【請求項３】
伸縮性と柔軟性のある空気袋は、凹凸や段差、または、傾斜のある家具や天井にも対応しやすいので、応用範囲が広い。
【請求項４】
本体が空洞なので、装置を大型化しても、費用も重量もあまり増加しないで、様々な大きさや形態の家具に対応した製品が作り易いので、デザイン性も高く、家具上部のデットスペースを解消し埃が溜まるのを防止できる。
【発明の詳細な説明】
【０００１】本発明は地震による家具などの転倒防止装置改良に関するものである。
【背景技術】
【０００２】  地震による家具などの転倒防止装置として、様々な物が開発され広く普及している。
今後、想定外の巨大地震の発生がますます懸念されるため、より確実な家具転倒防止方法の発想が急務である。耐震金具で家具と壁を固定する物、家具と天井との隙間に棒状や箱状の耐震装置を取り付ける方法は以前から知られている。
【先行技術文献】
【特許文献】
【０００３】
【特許文献１】登録実用新案第３１５２２２８８号
【特許文献２】登録実用新案第３１４３８０９号
【特許文献３】登録実用新案第３０１５５１７号
【特許文献４】特開２００７−９００８６
【発明の概要】
【発明が解決しようとする課題】
【０００４】しかしながら、特許文献１にあっては、ネジや釘を使用して金具を固定するため、家具や壁に穴を開けてしまう。それが原因で、賃貸住宅などでは、原状回復費用に負担がかかってしまう。
特許文献２では、強い地震の揺れで天井版を突き破ってしまう。また、特許文献３では、隙間家具を兼ねており、それに固定用にジャッキ装置が組み込みされるため、重量が増し、強い地震の揺れで天井から落下した場合、さらに大きな被害を出す危険がある。特に、特許文献４は、家具と天井との隙間が大きいと、空気袋が単一構造のため横方向への変形量が大きすぎて、耐震力の減少が心配される。また、定期的に空気を補充する手間がかかり過ぎるため、長時間留守にできない。
さらに、特許文献２、特許文献３、特許文献４は、家具や天井との接触部分が硬質な棒状か板状なので、平坦な天板の家具や天井のみに使用が限定される。
また、家具と天井に隙間があると、家具の上に埃が溜まることは仕方ないが、どの耐震装置も設置すると、掃除を困難にするばかりでなく、複雑な構造の耐震装置は、より埃を溜めやすく、不衛生である。
【課題を解決するための手段】
【０００５】  そこで、本発明にあっては、前述課題を解決するため、伸縮性と柔軟性のある素材で作成した空気袋をマット状にして何段にも積層し、家具と天井との接触面に滑り止め加工を施し、内蔵した電動空気入れで空気を充填して、天井からの反発力と摩擦力により、家具を床に圧着するようにした。
また、別本体の圧力感応スイッチにより、電動空気入れの電源オン・オフを自動的に切替られるようにした。
【発明の効果】
【０００６】  空気袋をマット状にして、何段にも積層することで、単一構造の空気袋では大きかった横方向への変形量を小さく抑え、家具と天井との距離が大きくても耐震力が減衰することはない。
また、本発明品は、家具の上に乗せて、電動空気入れの電源を入れるだけで、空気袋に適量の空気が入ると、圧力感応スイッチが自動的に電動空気入れの電源を切ってくれるので、特別な学習も技術も不要なため、誰にも簡単に設置できるから、家具や壁を傷つけたりすることもなく、工事業者に依頼する手間も費用も節約できる。。
そして、空気充填前の空気袋は伸縮性と柔軟性があるので凹凸や段差、または、傾斜のある家具や天井でも追従できるので、応用範囲が広い。
さらに、空気袋は空洞なため、装置を大型化しても、重量もコストも、あまり増加しないため、万が一落下しても大事には至らないので、様々な大きさや形態の家具に対応したデザイン性の高い製品をローコストで製造できる。そのことにより、あらゆる家具の上部のデットスペースも解消できるので、埃が溜まるのを防止して、人々の安全と健康を守ってくれる。
【図面の簡単な説明】
【０００７】
【図１】  本発明の正面図である。
【図２】  本発明の使用状態を示す断面図である。
【発明を実施するための形態】
【０００８】  以下、本発明の実施形態について、図面を参照しつつ詳細に説明すれば、図１は、本発明の実施例を表す正面図を示すが、積層空気袋１は、伸縮性と柔軟性のあるゴムや強化ビニールをマット状にして、複数段に積層し、天井接触面１２と家具接触面１３に滑り止め加工を施したものである。各空気層は、内部貫通口により繋がっているので、電動空気入れ２からの空気注入口は一箇所で済む。電動空気入れ２は、乾電池式とすることで、正面以外にも側面にも内蔵可能とする。
別本体の圧力感応スイッチ３は、圧力感応スイッチ天板４と圧力感応スイッチ下板５で挟み、積層空気袋１に空気が適量充填されると圧力感応スイッチ下板５で支えられた圧力感応スイッチ３を、積層空気袋１からの圧力を受けた圧力感応スイッチ天板４が押し込めると、電源が自動的に切れるように設定しておく。また、圧力感応スイッチ３が押し込められる力の度合いは、圧力感応スイッチ感度調整バネ１４で調整できる。
電動空気入れ２と圧力感応スイッチ３とを接続する圧力感応スイッチ用配線６は、長さが調整できるようになっているので、圧力感応スイッチ本体３が誤作動しない適切な場所を選んで設置できる。
【符号の説明】
【０００９】  １．積層空気袋
２．電動空気入れ
３．圧力感応スイッチ本体
４．圧力感応スイッチ天板
５．圧力感応スイッチ下板
６．圧力感応スイッチ用配線
７．天井板
８．家具
９．天井梁
１０．壁
１１．貫通口
１２．天井接触面
１３．家具接触面
１４．圧力感応スイッチ感度調整バネ
【図１】
2012239868.tif 000003
【図２】
2012239868.tif 000004
(57)【要約】【課題】スカーフ等にアクセサリー類を装着しようとするとピンを直接布地に刺し、キャッチで留める方法で、細かい部品を使用する為に、老人や身体障害者には取り扱いが困難で本体の布地も傷めることが多かった。【解決手段】本発明はスカーフ・簡略ネクタイ等本体をアクセサリーの裏に施したアーチ状のブリッジの中に通し、板バネを内外に開閉することで容易に着脱でき、布地も傷めないアクセサリー留め金具。【選択図】図１
2012239872.tif 000002
【特許請求の範囲】
【請求項１】
アクセサリー本体の裏側両端に立てた２本の柱状の足上部に板バネをアーチ状に固定し、バネを内外に開閉させてスカーフ等に留めるアクセサリー留め金具。
【発明の詳細な説明】
【技術分野】
【０００１】  スカーフ、簡略ネクタイ等のアクセサリーを留める役割の金具。（着脱が容易で布等本体を傷めない留め金具）
【背景技術】
【０００２】  従来はキャッチピン、安全ピン等で布本体に針を刺すかヘアピンのバネ様式で留めていた。
【発明の概要】
【発明が解決しようとする課題】
【０００３】  従来の様式では着脱に細かな部品を使用するので、老人や身体障害者には不便で、また本体の布地を針で傷める事があった。
【課題を解決するための手段】
【０００４】  使用するアクセサリーの裏側両端にある柱状の足にアーチ型のブリッジを板バネで渡し、アーチ状の部分を内外に開閉することでスカーフ、簡略ネクタイ等々に固定する。
【発明の効果】
【０００５】  従来の様式に比べ取扱いが簡単かつ、スカーフ、簡略ネクタイ等を傷める心配もない。
【図面の簡単な説明】
【０００６】
【図１】本発明の斜視図
【図２】本発明の使用状態の斜視図
【発明を実施するための形態】
【０００７】  以下本発明の使用形態を説明する
（イ）アクセサリー本体（１）の裏側両端に柱状の足（２）を立てる。
（ロ）裏側両端の足（２）の先端にアーチ状に板バネ（３）を取り付け固定する。
本発明は以上の構造である。
本発明を使用する時は板バネ（３）をアクセサリー本体と反対側に開き装着しようとするスカーフ、簡略ネクタイ等をアクセサリー本体と板バネの間に通す。装着を希望する箇所で板バネ（３）を本体側に閉じることでアクセサリーを留める。
【符号の説明】
【０００８】１アクセサリー本体、２柱状の足、３板バネ、４スカーフ
【図１】
2012239872.tif 000003
【図２】
2012239872.tif 000004
(57)【要約】【課題】本発明は身体の血液とリンパ液の流れを良くするための器具である通常は疲れた身体をいやすのにマッサージ師にたのむか電動器具でもみほぐすかしている本発明はいつでもどこでも手軽に持ち運べて使用できるマッサージ器具を提供する【解決手段】支柱を設けた台座左右に設け支柱の下部と上部に連結機を設け上部の連結機にローラー設置板と外れ防止板を設けた上にクッション付回転ローラーを前後に設けて下部に握り棒を設け左右に側板を設けて固定して組み上げてローラー設置板内に取り外し自在に設ける又支柱より各部品を外すことができてコンパクトに収納することができる【選択図】図１
2012239877.tif 000002
【特許請求の範囲】
【請求項１】
支柱を設けた台座を左右に設け支柱の下部と上部を連結機にて連結し上部の連結機にローラー設置板と外れ防止板を設けた上にクッション回転ローラーを前後に配して下部に握り棒を設け左右を側板にて固定し組上げたローラーを乗せて使用するローラーマッサージ器具
【発明の詳細な説明】
【技術分野】
【０００１】本発明は身体の血液リンパ液の流れを良くして疲れた身体をいやすための器具であって回転するローラーの付いた器具とそのローラーを設置する器具から成りマッサージを行なう部位により使い分けて使用するローラーマッサージ器具に関するものである
【背景技術】
【０００２】従来身体をいやす法方としてマッサージ師にたのむ又色々な電動器具を使用していやすことは知られている
【発明の開示】
【発明が解決しようとする課題】
【０００３】疲れた身体をいやそうとするとき次の様な間題点があった他の人にマッサージをしてもらうか電動器具を使いマッサージをするかしている本発明は以上の問題点を解決しいつでもどこえでも持ち運びができて使用できて疲れた身体をいやすことができる様になされたものである
【課題を解決するための手段】
【０００４】支柱を設けた台座を左右に設け支柱の下部と上部に連結機を設け上部の連結機にローラー設置板と外れ防止板を設けた上にクッション付回転ローラーを前後に設けて下部に握り棒を設け左右に側板を設けて固定して組み上げてローラー設置板内に取り外し自在に設ける又支柱より各部品を外すことができてコンパクトに収納することができる
本発明は以上の構成よりなるローラーマッサージ器具である
【発明の効果】
【０００５】本発明は組立てと分解収納ができていつでもどこでも手軽に組立て使用できて疲れた身体の血液リンパ液の流れを良くして疲れをとることができる
【発明を実施するための最良の形態】
【０００６】以下本発明の実施の形態を説明する
（イ）  中央に支柱（２）を設けた台座（１）を左右に設け支柱（２）を連結する連結機（３）（４）を支柱（２）の下部と上部に支柱穴（１６）を設けて組上げる
下連結機（３）に台座（１）固定の欠き込み（１３）をして台座（１）にハメ込む次に上連結機（４）の前面と後面にローラー設置板（５）をビス（９）とビスキャップ（８）で固定する又側面と中央にローラー外れ防止板（６）（７）をビス（９）で固定して組上げたローラ設置台（１５）に
（ロ）  回転させるローラー（１１）を前後に設け又握り棒（１０）を下部に設け左右の側面に側板（１２）をビス（９）ビスキャップ（８）で固定して組上げたローラー（１４）をローラー設置台（１５）に設ける
本発明は以上の構成から成る
本発明を使用する場合は（イ）と（ロ）で組上げたローラー設置台（１５）にローラー（１４）を設け使用する人は身体を仰向けにしてふくらはぎをローラー（１４）の上に乗せ前後に動かしてマッサージを行なう身体全体をマッサージするのにはローラー（１４）を設置台（１５）から外して手に持ち全身をローラーマッサージすることができる
【図面の簡単な説明】
【０００７】
【図１】本発明の斜視図
【図２】本発明のローラー設置台の正面図
【図３】本発明のローラー設置台の断面図
【図４】本発明のローラー斜視図
【図５】本発明のローラー設置台の斜視図
【符号の説明】
【０００８】（１）台座（２）支柱（３）下連結機（３）（４）連結機（５）ローラー設置板（６）（７）ローラー外れ防止板（８）ビスキャップ（９）ビス（１０）握り棒（１１）回転ローラー（１２）側板（１３）欠き込み（１４）ローラー（１５）ローラー設置台（１６）支柱穴（１７）ツマミ（４）上連結機
【図１】
2012239877.tif 000003
【図２】
2012239877.tif 000004
【図３】
2012239877.tif 000005
【図４】
2012239877.tif 000006
【図５】
2012239877.tif 000007
(57)【要約】【課題】本発明は、菌及びウイルスを除去する空気浄化装置用フィルターに関し、特にインフレンザや重症性呼吸器症候群（ＳＡＲＳ）ウイルスを不活化させることに有効な空気清浄機用フィルターに関する。【解決手段】本発明は、微細な穴構造が形成された高分子発泡体に、白金ナノ粒子を付着させることで、白金粒子の触媒作用によりウイルスが不活化され、菌及びウイルスを完全に除去することが可能である。【選択図】図１
2012239871.tif 000002
【特許請求の範囲】
【請求項１】
微細な穴構造が形成された高分子発泡体に、白金ナノ粒子を付着させた、空気清浄機用フィルター。
【発明の詳細な説明】
【技術分野】
【０００１】  本発明は、菌及びウイルスを除去する空気浄化装置用フィルターに関し、特にインフレンザや重症性呼吸器症候群（ＳＡＲＳ）ウイルスを不活化させることに有効な空気清浄機用フィルターに関する。
【背景技術】
【０００２】  ヒトにカゼの症状（新型肺炎）を起こすＳＡＲＳウイルスの粒子は直径７５〜１３０ｎｍの多形性エンベロープをもつ。このウイルスによる感染は、肺炎に似た症状で、感染は空気感染、飛沫感染や接触感染のケースがあり、死亡率は約６％に達するがワクチン開発以外に有効な対策を見出せていない状況である。【０００３】  また、従来から不織布に白金ゼオライト等を担持させることで、臭気をはじめ、ハウスダスト、花粉等の空中に浮遊する微粒子物質や、さらに、有機溶剤等のＶＯＣ系ガスのような不純物を同時に除去することができるフィルターの出願がある（例えば、特許文献１［００１１］参照）。
【先行技術文献】
【特許文献】
【０００４】
【特許文献１】特願２００６−９１１３６号公報
【発明の概要】
【発明が解決しようとする課題】
【０００５】  上記新型肺炎の感染防除対策としては、被感染者を隔離し、感染経路やその周辺を徹底的に消毒することが実施されているが、二次、三次感染を防止できないのが現状である。その理由として、被感染者を隔離室において隔離したとしてもウイルスを含んだ空気を隔離室外に排気するとウイルスを拡散させてしまうことになる。本発明は、隔離室に設けた空気清浄機のフィルターに、ウイルスを不活化させる機能を持たせることで、二次、三次感染を防止することを目的とする。
【課題を解決するための手段】
【０００６】  上記目的を達成するため、空気清浄機用のフィルターとして、微細な穴構造が形成された高分子発泡体に、白金ナノ粒子を付着させたフィルターを用いることで実現している。高分子発泡体に固定された白金ナノ粒子が、ウイルスに付着することで白金粒子の触媒作用によりウイルスが不活化され、ウイルスの感染拡大を防止することができる。
【発明の効果】
【０００７】  上記のように、本発明は、微細な穴構造が形成された高分子発泡体に、白金ナノ粒子を付着させることで、白金粒子の触媒作用によりウイルスが不活化され、菌及びウイルスを完全に除去することが可能である。
【図面の簡単な説明】
【図１】本発明の空気清浄機用フィルターの分解斜視図である。
【図２】本発明の白金粒子高分子フィルターの拡大図である。
【発明を実施するための最良の形態】
【実施例】
【０００８】  図１は、本発明の実施例を示す図である。符号１０で示すものは、簡易フィルターで細菌・ウイルス以外の浮遊物を捕集することを目的とする。符号１１で示すものは、中性能フィルターで細菌を捕集して不活化することを目的とする。符号１２は、調湿フィルターで、湿度を上げて不活化の効果を上げる事が出来る。符号１３は、白金粒子高分子フィルターで、主に、女性が化粧する時に使用しているパフの技術を応用して作製される。符号１４で示されるものは、高性能ＨＥＰＡフィルターで、臭い等を除去することを目的とする。【０００９】  図２は、符号１３で示される白金粒子高分子フィルターの拡大写真である。孔径は４０ミクロン〜１００ミクロンで、厚みは１ｍｍ〜２ｍｍ、素材はポリウレタンで作られている。このように白金粒子高分子フィルターは細かい孔が幾つもの経路を形成することで、広い表面積を有すると共に緩速気流を作り出すことができ、その緩速気流が確実に白金ナノ粒子に接することで、ウイルスを死滅させることが可能となる。【００１０】  図１の矢印Ａの方向から、汚染された空気を流し、簡易フィルター１０で細菌・ウイルス以外の浮遊物を捕集させる。次に、続いて中性能フィルターで、細菌捕集して不活化させる。次に続いて調湿フィルター１２で、空気に水分を含ませることで、ウイルスの周りに水の分子をめぐらせ、ウイルスを大きな水分子の塊とする。次に続いて白金粒子高分子フィルター１３で、そのウイルスを含む大きな水分子の塊に、白金ナノ粒子を触れさせることで、白金の触媒効果により、ウイルスを不活性化させることができる。次に続いて高性能ＨＥＰＡフィルター１４で臭い等を除去することにより、汚染された空気がきれいな空気になる。【００１１】  本発明の実施は上記の例に限定されず、たとえば、高性能ＨＥＰＡフィルター１４の後に、再度、白金粒子高分子フィルター１３を設けることで、ウイルスの死滅効果をより確実にすることも本発明に含まれる。
【産業上の利用可能性】
【００１２】  本発明のフィルターを空気清浄機として利用した際の用途としては、病院（院内感染対策用、隔離室用、新生児保護用）、老人ホーム（高齢者／弱者の集団感染予防）、空港ビル、地下街、デパートにおける潜在的感染者からの飛散による感染を防止客へのサービスと自己防衛手段、製薬工場（注射薬、点眼薬などの製薬工程）、無菌動物室（菌およびウイルス対策）、換気処理（感染症多発地帯の導入外気処理用、遺伝子組替施設の吸気排気処理用）等が挙げられる。
【符号の説明】
【００１３】１      空気清浄機用フィルター
１０    簡易フィルター
１１    中性能フィルター
１２    調湿フィルター
１３    白金粒子高分子フィルター
１４    高性能ＨＥＰＡフィルター
【図１】
2012239871.tif 000003
【図２】
2012239871.tif 000004
(57)【要約】【課題】野外や施設内で着火手段が無い場合、線香及び線香束に着火することは不可能だった。  本発明は、空気摩擦により野外や施設内で線香に火を付けることが可能な瞬間着火式線香を提供する。【解決手段】線香の先に薬剤（固形物を溶かしたもの）を塗りこみ、又は練り込み、自然発火や湿気を防ぐために薬剤部分をロウ紙で包み、着火しない場合に備え線香を束ねる下部に側薬を設けたことを特徴とする空気摩擦による瞬間着火式線香。【選択図】図１
2012046476.tif 000002
【特許請求の範囲】
【請求項１】
線香の先端部分に薬剤（固形物を溶かしたもの）を塗りこみ、又は練り込み、自然発火や湿気を防ぐために薬剤部分をロウ紙でカバーし、着火しない場合に備え線香を束ねる下部に側薬を設けた空気摩擦による瞬間着火式線香。
【発明の詳細な説明】
【技術分野】
【０００１】  本発明は、線香の先端に付ける薬剤（固形物を溶かしたもの）に関するものである。
【背景技術】
【０００２】  従来、線香に火をつけるためには、マッチやライターを使用していた。
なお、着火剤を塗り込んだ線香が知られている（特許文献１参照）。
【先行技術文献】
【０００３】
【特許文献１】  特開２００６−１３１６０４号公報
【発明の概要】
【発明が解決しようとする課題】
【０００４】  野外や施設内で着火手段が無い場合、線香及び線香束に着火することは不可能だった。
本発明は、以上の問題を解決するためになされたものである。
【課題を解決するための手段】
【０００５】  線香の先端部分に、薬剤（固形物を溶かしたもの）を塗りこみ、又は練り込み、自然発火や、湿気を防ぐために薬剤部分をロウ紙でカバーし、さらに着火しない場合に備え線香を束ねる下部に側薬を設ける。
以上の構成よりなる空気摩擦による瞬間着火式線香。
【発明の効果】
【０００６】  従来不可能とされていた空気摩擦による瞬間着火を本発明により可能にし、簡単に線香に着火することができる。又マッチ、ライター等を使用しないことはゴミも出さず環境にも良い。
本発明は野外の使用だけでなく施設内でも使うことができる。
【図面の簡単な説明】
【０００７】
【図１】本発明の斜視図
【図２】本発明の要部拡大図
【発明を実施するための形態】
【０００８】  以下、本発明の実施の形態を説明する。
（イ）本体（１）の上部に薬剤（２）を浸みこませ棒状（３）を設ける。
（ロ）棒状（３）を束ねた上部にカバー（４）を設ける。
（ハ）本体（１）下部に側薬（６）を塗りこんだ線香の束をまとめるためのカバー（５）を設ける。
本発明は以上のような構造である。
本発明を使用するときは、線香の先端部分に薬剤（２）が塗りこんであるので、先端のロウ紙（４）を取りはずし、線香束（３）を空気中で振りかざした時に、摩擦により着火することができる。又、着火しない場合に備えては、線香を束ねる下部に側薬（６）を付けることにより、その部分を使用してマッチを擦る要領で着火させることも可能である。
【符号の説明】
【０００９】１本体、２薬剤（固形物を溶かしたもの）、３線香、４ロウ紙、５下部カバー、６側薬
【図１】
2012046476.tif 000003
【図２】
2012046476.tif 000004
(57)【要約】      （修正有）【課題】エスカレーターとその上の階の床の隙間に出来る略三角形の空間に子供が頭を挟まれてしまう事故を防ぐ事は出来たが、ガード自体とエスカレーターの手すりの間で子供が頭を挟まれてしまう事故を誘発したり、また、それを防止するために機構的な工夫が必要であったり、自動停止装置等を取り付けるなど、安全装置が複雑になる。そこで、ガードの形状ではなく、素材を再考することにより、より簡素で効果的なガードを提供する。【解決手段】ガードの素材として、エラストマーもしくは内部に柔軟性と弾性を有する素材等を充填したクッション状の物を用いる。【選択図】なし【特許請求の範囲】
【請求項１】
柔軟性と弾性を有するデルタガード
【請求項２】
素材に、エラストマーを用いた請求項１のデルタガード。
【請求項３】
内部に柔軟性と弾性を有する素材を充填したクッション状の請求項１のデルタガード。
【請求項４】
内部に気体を充填したクッション状の請求項１のデルタガード。
【発明の詳細な説明】
【技術分野】
【０００１】
本発明はエスカレーターの安全性に関し、特にエスカレーターの乗客の安全のために設置されるデルタガードに関するものである。
【背景技術】
【０００２】
エスカレーターの安全性に関しては、以前より様々な発明がなされており、特に昇りエスカレーターとその上の階の床の隙間に出来る略三角形の空間に子供が頭等を挟まれる事故を防止するための方法として特許文献１等の従来技術がある。
【先行技術文献】
【特許文献】
【０００３】
【特許文献１】特開平８−２６６４７号公報
【特許文献２】特開２０１０−７０２９９号公報
【特許文献３】特開２００９−１１３９８３号公報
【発明の概要】
【発明が解決しようとする課題】
【０００４】
しかしながら、従来技術はデルタガード自体と、エスカレーターの手すりの間に子供が頭を挟まれてしまう事故を誘発したり、また、それを防止するために、機構的な工夫が必要であったり、自動停止装置等を取り付けるなど、安全装置が複雑になるという課題があった。
本発明では、デルタガードの形状ではなく、素材を再考する事に寄り、より簡素で効果的なデルタガードを提供することを目的とする。
【課題を解決するための手段】
【０００５】
上記の課題を解決する為に、本発明は、デルタガードの素材に、エラストマーもしくは内部に柔軟性と弾性を有する素材を充填したクッション状の物を用いる事を特徴とする。
【発明の効果】
【０００６】
上記の方法を用いる事に寄り、本発明は、例えエスカレーターの乗客が、手すりの外に身体の一部を乗り出していたとしても、エスカレーターの乗客に衝撃や苦痛を与えずに、注意を喚起する事が出来る。
【０００７】
また、デルタガード自体が、弾性を有するので、エスカレーターの手すりの外に乗り出した乗客の身体の一部をエスカレーターの手すりの内側へ押し戻すという効果も期待出来、デルタガードとエスカレーターの手すりの間に頭等を挟まれる事故を減らすという効果を奏する。
【０００８】
さらに、自動停止の為の機構やそれに伴う感知装置等も必要なくなり経費削減の効果も期待できる。
(57)【要約】【課題】  従来のプラスチックチューブ容器の形状では、ポンプ、トリガー、エアレスポンプ等の機能性出し口部を容器へ装着して使用しても充分に機能を発揮出来なかった。このような機能は成形容器では使用出来るが、小ロット、多品種の製造、加飾に対応出来ず、更に、内容量を変更する場合、高額な成形用金型を新規に制作する必要があった。【解決手段】プラスチックチューブ容器へ機能性出し口部を装着し、機能を維持して使用するために、製造工程で容器底部へ台座を装着するための装置を設け、容器に台座を熱溶着することで、容器を直立した状態で機能できるよう改善した。また、内容量を変更する場合は、チューブを切断する長の変更だけで内容量変更が可能になり、高額な成形用金型が不要となった。更に、従来のチューブ容器同様に小ロット、多品種で様々な加飾を施し提供することも可能にした。【選択図】図１
2012046245.tif 000002
【特許請求の範囲】
【請求項１】
プラスチックチューブ容器に台座を装着する装置を設けた製造方法とその容器。
【発明の詳細な説明】
【技術分野】
【０００１】  本発明は、様々な機能部を上にしてプラスチックチューブ容器を直立させ、多様な機能性プラスチックチューブ容器として用いるための製造方法に関する。
【背景技術】
【０００２】  従来の製造方法では、プラスチックを押し出し、チューブ状に成形した後に任意の長さで切断し、開口部の一方に出し口とネジ部を熱溶着する。以下、図３に従来の製造工程図を示す。【０００３】  プラスチックチューブ容器のキャップ部を下にして倒立させ、上の開口部から内容物を充填した後に直線、又は変形で熱溶着し密閉する。以下、図４に従来の充填工程図を示す。
【発明の概要】
【発明が解決しようとする課題】
【０００４】  上記に述べた従来の製造及び充填方法では、プラスチックチューブ容器本体を手に持ち、指で押し出して使用していたので、多機能性容器の要求には対応出来なかった。また、使用中に内容物の減量と共に容器が変形し、自立できずに転倒することもあった。また、成形容器では内容量を変更する場合、成形用金型を新規に制作する必要があった。更に、成形容器では多機能性のある出し口部を装着することは出来るが、低価格、小ロット製造、小ロットでの加飾が困難であった。【０００５】  本発明は、プラスチックチューブ容器を直立させ、上部に多様な機能性のある出し口を装着可能にし、容器が変形無く使用でき、多機能性を有する容器として、低価格、小ロットで様々な加飾を施し提供可能にすることを目的とするものである。
【課題を解決するための手段】
【０００６】  そして、本発明は上記目的を達成するために、製造工程または充填後に容器下部に台座を装着する装置を設けたものである。【０００７】  また、第２の課題解決手段は、容器上部にポンプなどの上から圧力をかける機構の出し口部を装着した場合、容器が変形無く圧力に耐えるため形状を保持するための台座を装着したものである。【０００８】  更に、容器上部にエアレスポンプを装着した場合、内容物の減量と共に上部へ移動する移動弁をチューブ内に挿入したものである。
【発明の効果】
【０００９】  上述したように本発明のプラスチックチューブ容器製造方法は、プラスチックチューブの下部に台座を装着することにより、様々な機能性出し口の動作を可能としたことである。更に、チューブ容器が従来から可能な小ロット生産、小ロットの加飾を施し提供することができる。【００１０】  また、従来の成形容器に対し、低価格で提供することができる。
【図面の簡単な説明】
【００１１】
【図１】  本発明で容器製造および充填を行う工程図
【図２】  本発明の容器断面図
【図３】  従来品、容器製造工程図
【図４】  従来品、充填を行う工程図
【発明を実施するための形態】
【００１２】  以下、本発明の実施の形態を図１に基づいて説明する。
【００１３】  図においては、１はエアレスポンプ以外の機能性出し口を装着する場合の工程を示し、底部に３の台座を挿入し熱溶着して固定することで４の容器となる。
【００１４】  ２はエアレスポンプを装着する工程を示し、底部から５の移動弁を挿入した後、６の台座を挿入し熱溶着して固定することで７の容器となる。
【００１５】  ４の容器を直立させ、８の出し口から内容物を充填し、９のポンプ、トリガー等の機能性出し口を装着する。
【００１６】  ７の容器を直立させ、１０の出し口から内容物を充填し、１１のエアレスポンプを装着する。
【００１７】  以下、本発明の完成形態を図２に基づいて説明する。
【００１８】  １はエアレスポンプ以外の機能性出し口を装着する前の容器断面を示し、２はネジ部であり、３は台座部である。
【００１９】  ４はエアレスポンプを装着した容器断面を示し、５は移動弁である。
【００２０】  ６はトリガーを装着した容器断面である。
【００２１】  ６はトリガーを装着した容器断面である。
【００２２】  ７はポンプを装着した容器断面である。
【図１】
2012046245.tif 000003
【図２】
2012046245.tif 000004
【図３】
2012046245.tif 000005
【図４】
2012046245.tif 000006
(57)【要約】【課題】純石鹸であっても製造の過程で塩素を生じ、また合成洗剤は自然界での分解のために、微生物の死滅を伴う。これらは持続的バイオマス環境を破壊する危険性を帯びている。【解決手段】食物であり生物が摂取しても無害なアルファー澱粉を用いた洗剤であり、水田や畑作など、環境に適した採取が可能である。またこの洗剤による動物性油脂、植物性油脂を洗浄後の液体は土壌に還元でき、肥沃化を促進する。例えば肉、魚を中華鍋で調理し同時に炊いた米を一緒に中華鍋に入れ混ぜ合わせて食べれば、後は中華鍋をささら等で水洗いすれば油分を洗い流す事が出来る。また中華鍋等で肉、魚料理をしたあと、炊いた米を鍋に残った汁に和え、好みの調味料で味付けして混ぜ合わせて食べれば、同様に油分を洗い流す事が出来る。【選択図】図１
2012046709.tif 000002
【特許請求の範囲】
【請求項１】
アルファー澱粉化した穀物を水溶液とし油脂を洗浄する、またはの固体のアルファー澱粉を油脂と混合した後に洗浄する、また皮膚の老廃物をあらうこと、これらを特徴とする、アルファー澱粉洗剤。
【請求項２】
前記のアルファー澱粉は穀物の澱粉を過熱によりアルファー澱粉化して得られる物であり米など水田による物や、ジャガイモなど畑作による物などを用いる事が出来、化学物質を含まない天然成分による。万一、余剰が生じた場合は土壌に還元でき肥沃化を促進する。これらを特徴とする請求権１記載のアルファー澱粉洗剤である。
【発明の詳細な説明】
【技術分野】
【０００１】この発明は米のアルファー澱粉水溶液による動物性油脂、植物性油脂の洗浄分解及び皮膚の洗浄に関する
【背景技術】
【０００２】従来の洗剤及び石鹸はケン化による天然成分による純石鹸や、酵素や活性剤を用いた合成洗剤によるものである。
【先行技術文献】
【特許文献】
【０００３】
【非特許文献】
【０００４】
【非特許文献１】化学  乾  利成  化学同人
【非特許文献２】環境微生物学  大森  俊雄  昭晃堂
【発明の概要】
【発明が解決しようとする課題】
【０００５】  しかしながら以上の技術によれば、ケン化の際、塩素が発生し、また合成洗剤に含まれる化学物質による水質汚染、環境汚染が問題となっている。
【課題を解決するための手段】
【０００６】  以上の課題を解決するために、第一発明は稲作による米及び、精米時に生じる米粉を加熱しアルファー澱粉化し、その水溶液による油脂の洗浄作用を特徴とする洗浄液である。
また、第二発明は米を炊飯する前に研ぐ過程で生じる米粉の水溶液を加熱しアルファー澱粉化し同様の作用を利用することを特徴とする洗浄液である。
また第三発明はアルファー澱粉かした固体の米をその水分と粘性を利用し、油脂に混ぜ合わせその後、水又は湯を加え洗浄することを特徴とする。
【発明の効果】
【０００７】  第一発明、第二発明、第三発明によれば、米は古くから世界各地で生産された食物であり、１００％天然の植物による。またその油脂を洗浄する際に交じり合った水溶液は微生物により、容易に分解され土壌中のバクテリア、微生物、菌類、昆虫などの、栄養分となり植物の成長に適した土壌環境を作り出すことに役立ち、水田を介して自然界に循環させる事によって、水質汚濁、環境悪化等の問題を根本的に解消する。
【図面の簡単な説明】
【図１】この発明の一実施形態を示す略式図である
【発明を実施するための形態】
【０００９】  この発明の一実施形態を図１に示す
アルファー澱粉による水溶液１は油脂の量により濃度を調節し、必要に応じて、ボトル３や鍋４、ビン５等に入れ、腐敗を避けるため、必要量を使い切るようにする。固体状のアルファー澱粉２は水分と粘性を保った状態で油脂と混ぜ合わせると効果的に洗浄できる。
【００１０】「実施形態の効果」
バイオマス生態系の循環、維持及び、環境の保全に寄与する。
「他の実施形態」
米以外にも、アルファー澱粉化する穀物を利用することで、水田に適さない土地でも油脂の洗浄が可能である。
【符号の説明】
【００１１】１  アルファー澱粉水溶液による油脂の洗浄液  ２  固体状のアルファー澱粉  ３  ボトル  ４  鍋  ５  ビン
【図１】
2012046709.tif 000003
(57)【要約】      （修正有）【課題】火災時の延焼を防ぎ、有毒な煙を排出しない不燃塗料を提供する。【解決手段】耐火性を有する珪酸塩化化合物をバインダーとし、顔料及び鉱物からなる体質顔料の金属化合物を組合せた不燃性塗料であり、好ましくは、珪酸リチウム１０〜１５部および珪酸カリウム２〜５部をバインダーとし、その他、コロイダルシリカ３０〜４０部、イオン水５〜１０部、含水珪酸アルミニウム１０〜１５部、マイカ１０〜１５部、チタン酸カリウム５〜１０部、無機顔料１０〜１５部を組合せた不燃性塗料。【選択図】なし【特許請求の範囲】
【請求項１】
耐火性を有する珪酸塩化化合物をバインダーとし、顔料及び鉱物からなる体質顔料の金属化合物の組合せによる不燃性塗料。
【請求項２】
珪酸リチウム１０〜１５部、珪酸カリウム２〜５部、コロイダルシリカ３０〜４０部、イオン水５〜１０部、含水珪酸アルミニウム１０〜１５部、マイカ１０〜１５部、チタン酸カリウム５〜１０部、無機顔料１０〜１５部からなる請求項１の不燃性塗料。
【発明の詳細な説明】
【技術分野】
【０００１】  本発明は、建築材表面に塗布する不燃塗料に関するものである。
【背景技術】
【０００２】  従来、不燃塗料は一般に市販されているが、これらは有機質塗料、即ち石油樹脂系の塗料であり、溶剤もシンナーが用いられている。従って揮発性物質放出の危険性があり、火災時には有毒ガス発生の危険性もあり、またシンナー独特の異臭もある。また無機質塗料も市販はされているが、これらはコンクリート内部の成分と化学反応して珪素塩化化合物を形成する。形成された珪素塩化化合物は紫外線劣化や排気ガス等の影響を受けることはないが、成分が塩のため、降雨や湿気等で再溶解の危険性がある。再溶解すると紫外線劣化や排気ガスの影響を受けやすい。
【発明の概要】
【発明が解決しようとする課題】
【０００３】  解決しようとする問題点は、火災時の延焼を防ぎ、有毒な煙を排出しない不燃塗料の開発が発明が解決しようとする課題である。
【課題を解決するための手段】
【０００４】  本発明は、水と珪酸（ガラス質）を主成分とした無機質の不燃塗料の開発することを課題を解決するための手段としている。
【発明の効果】
【０００５】  本発明にかかる不燃塗料は、耐火性を有する珪酸塩化化合物をバインダーとし、顔料及び鉱物からなる体質顔料の金属化合物の組合せによる不燃性塗料であり、更には、珪酸リチウム１０〜１５部、珪酸カリウム２〜５部、コロイダルシリカ３０〜４０部、イオン水５〜１０部、含水珪酸アルミニウム１０〜１５部、マイカ１０〜１５部、チタン酸カリウム５〜１０部、無機顔料１０〜１５部からなる不燃性塗料であるから、例えばコンクリート表面に重合珪酸の不燃性塗膜を形成するので、空気中の炭酸ガスと化学反応して特殊珪酸ゾル（ガラス状固化物）を形成し、形成された特殊珪酸ゾル（ガラス状固化物）は、降雨、排気ガス等で影響を受けることがない。しかも火災時の延焼を防ぎ、且つ有毒な煙を排出しない等、極めて顕著なる安心、安全な種々の効果が得られるものである。
【発明を実施するための形態】
【０００６】  耐火性を有する珪酸塩化化合物をバインダーとし、顔料及び鉱物からなる体質顔料の金属化合物の組合せによる不燃性塗料であり、更には、珪酸リチウム１０〜１５部、珪酸カリウム２〜５部、コロイダルシリカ３０〜４０部、イオン水５〜１０部、含水珪酸アルミニウム１０〜１５部、マイカ１０〜１５部、チタン酸カリウム５〜１０部、無機顔料１０〜１５部からなる不燃性塗料からなる不燃塗料を呈せんとするものである。
【実施例】
【０００７】  本発明に係る不燃塗料は、珪酸リチウム１０〜１５部、珪酸カリウム２〜５部、コロイダルシリカ３０〜４０部、イオン水５〜１０部、含水珪酸アルミニウム１０〜１５部、マイカ１０〜１５部、チタン酸カリウム５〜１０部、無機顔料１０〜１５部からなる不燃性塗料によって形成されている。
【産業上の利用可能性】
【０００８】  本発明にかかる不燃塗料は、耐火性を有する珪酸塩化化合物をバインダーとし、顔料及び鉱物からなる体質顔料の金属化合物の組合せによる不燃性塗料であり、更には、珪酸リチウム１０〜１５部、珪酸カリウム２〜５部、コロイダルシリカ３０〜４０部、イオン水５〜１０部、含水珪酸アルミニウム１０〜１５部、マイカ１０〜１５部、チタン酸カリウム５〜１０部、無機顔料１０〜１５部からなる不燃性塗料であるから、例えばコンクリート表面に重合珪酸の不燃性塗膜を形成するので、空気中の炭酸ガスと化学反応して特殊珪酸ゾル（ガラス状固化物）を形成し、形成された特殊珪酸ゾル（ガラス状固化物）は、降雨、排気ガス等で影響を受けることがない。しかも火災時の延焼を防ぎ、且つ有毒な煙を排出しない等、極めて顕著なる安心、安全な種々の効果が得られ、産業上の利用可能性が極めて大である。